(57)【特許請求の範囲】
【請求項１】
ディスクを駆動するモータと、
前記モータの駆動軸にラジアル方向へ移動自在に支持されたリング部材と、
前記リング部材にラジアル方向へ移動自在に保持され、ディスクのセンタ孔の一方面側のエッジ部と係合して該ディスクを保持する保持部材と、
前記保持部材を前記駆動軸から遠ざける方向へ付勢する付勢部材と、
前記駆動軸に支持され、前記ディスクのセンタ孔の他方面側のエッジ部と係合して該ディスクを位置決めする位置決め部材とを具備することを特徴とするディスク装置。
【請求項２】
ディスクを駆動するモータと、
前記モータの駆動軸にラジアル方向へ移動自在に支持されたリング部材と、
前記リング部材にラジアル方向へ移動自在に保持され、ディスクのセンタ孔の一方面側のエッジ部と係合して該ディスクを保持する保持部材と、
前記保持部材を前記駆動軸から遠ざける方向へ付勢する第１の付勢部材と、
前記駆動軸にスラスト方向へ移動自在に支持され、前記ディスクのセンタ孔の他方面側のエッジ部と係合して該ディスクを位置決めする位置決め部材と、
前記位置決め部材を前記スラスト方向へ付勢する第２の付勢部材とを具備することを特徴とするディスク装置。
【請求項３】
ディスクを駆動するモータと、
前記モータの駆動軸に固定されたディスクテーブルと、
前記駆動軸にラジアル方向へ移動自在に支持されたリング部材と、
前記リング部材にラジアル方向に移動自在に設けられ、前記ディスクテーブル上に載置されたディスクのセンタ孔のテーブル載置面とは反対面側のエッジ部と係合して該ディスクを保持する保持部材と、
前記保持部材を前記駆動軸から遠ざける方向へ付勢する付勢部材と、
前記駆動軸に支持され、前記ディスクテーブル上に載置されたディスクのセンタ孔のテーブル載置面側のエッジ部と係合して該ディスクを位置決めする位置決め部材とを具備することを特徴とするディスク装置。
【請求項４】
ディスクを駆動するモータと、
前記モータの駆動軸に固定されたディスクテーブルと、
前記駆動軸にラジアル方向へ移動自在に支持されたリング部材と、
前記リング部材にラジアル方向に移動自在に設けられ、前記ディスクテーブル上に載置されたディスクのセンタ孔のテーブル載置面とは反対面側のエッジ部と係合して該ディスクを保持する保持部材と、
前記保持部材を前記駆動軸から遠ざける方向へ付勢する第１の付勢部材と、
前記駆動軸にスラスト方向へ移動自在に支持され、前記ディスクテーブル上に載置されたディスクのセンタ孔のテーブル載置面側のエッジ部と係合して該ディスクを位置決めする位置決め部材と、
前記位置決め部材を前記スラスト方向へ付勢する第２の付勢部材とを具備することを特徴とするディスク装置。
【請求項５】
ディスクに対する信号のリード又はライトを行うピックアップと、
ディスクを駆動するモータと、
前記モータの駆動軸に固定されたディスクテーブルと、
前記駆動軸に支持され、前記ディスクテーブル上に載置されたディスクのセンタ孔の、前記光ピックアップと対向する第１の面側のエッジ部と係合して該ディスクを位置決めする位置決め部材と、
前記駆動軸にラジアル方向へ移動自在に支持されたリング部材と、
前記リング部材にラジアル方向に移動自在に設けられ、前記ディスクテーブル上に載置されたディスクのセンタ孔の、前記第１の面側とは反対の第２の面側のエッジ部と係合して該ディスクを保持する保持部材と、
前記保持部材を前記駆動軸から遠ざける方向へ付勢する付勢部材とを具備することを特徴とするディスク装置。
【請求項６】
ディスクに対する信号のリード又はライトを行うピックアップと、
ディスクを駆動するモータと、
前記モータの駆動軸に固定されたディスクテーブルと、
前記駆動軸に支持され、前記ディスクテーブル上に載置されたディスクのセンタ孔の、前記光ピックアップと対向する第１の面側のエッジ部と係合して該ディスクを位置決めする位置決め部材と、
前記駆動軸にラジアル方向へ移動自在に支持されたリング部材と、
前記リング部材にラジアル方向に移動自在に設けられ、前記ディスクテーブル上に載置されたディスクのセンタ孔の、前記第１の面側とは反対の第２の面側のエッジ部と係合して該ディスクを保持する保持部材と、
前記保持部材を前記駆動軸から遠ざける方向へ付勢する第１の付勢部材と、
前記位置決め部材を前記スラスト方向へ付勢する第２の付勢部材とを具備することを特徴とするディスク装置。
【請求項７】
請求項１乃至６記載のいずれかのディスク装置において、
前記ディスクが、２枚のディスクを貼り合わせた構造の両面ディスクであることを特徴とするディスク装置。
【請求項８】
請求項１乃至６記載のいずれかのディスク装置において、
前記保持部材および前記位置決め部材の各々のディスク係合部が、前記モータ軸を中心にほぼ均等な角度間隔で互い違いに計６つ以上配置されていることを特徴とするディスク装置。
【請求項９】
請求項１乃至６記載のいずれかのディスク装置において、
前記モータの軸から前記リング部材が抜けないよう前記リング部材を前記モータ軸に係止する止め具をさらに有することを特徴とするディスク装置。
【請求項１０】
請求項２、４、６記載のいずれかのディスク装置において、
ディスクを保持しているとき、前記第２の付勢手段の付勢力が、前記第１の付勢手段が前記保持部材を通じてディスクをスラスト方向に押圧する力より小さいことを特徴とするディスク装置。
【発明の詳細な説明】
【０００１】
【発明の属する技術分野】
本発明は、例えばＤＶＤなどの光ディスクの再生或いは記録を行うディスク装置に関する。
【０００２】
【従来の技術】
従来から、ＣＤ−ＲＯＭドライブやＤＶＤドライブなどの光ディスクドライブ、特にノート型パソコンなどに組み込まれる薄型の光ディスクドライブにおけるディスクのセンタリングクランプ機構としては、次のようなものがある。
【０００３】
図６に示すように、この従来例としてのセンタリングクランプ機構は、モータ軸４１に圧入されたディスクテーブル４２と、ディスクテーブル４２上に突出した部分のモータ軸４１に圧入された保持リング４３と、保持リング４３内にモータ軸４１のラジアル方向に進退自在に保持されたピン形態の複数（例えば３つ）のディスク芯合せ部材４４と、ディスク芯合せ部材４４をモータ軸４１から遠ざける方向に付勢するための圧縮バネ４５とから主に構成される。なお、ディスクテーブル４２の周縁部にはディスクの滑り防止のためのラバー４６が貼り付けられている。
【０００４】
ディスク芯合せ部材４４の一部は保持リング４３の外周よりラジアル方向に突出しており、この突出部には、ディスクＤが装着される際にディスクＤのセンタ孔の下面エッジ部と係合される第１のテーパ面４４ａと、ディスクＤのセンタ孔の上面エッジ部と係合してディスクＤをディスクテーブル４２との間で拘束するための第２のテーパ面４４ｂが形成されている。
【０００５】
このような従来のセンタリングクランプ機構において、ディスクＤが装着されるとき、ディスクＤのセンタ孔の下面エッジ部でディスク芯合せ部材４４の第１のテーパ面４４ａが押圧されることによって、ディスク芯合せ部材４４が圧縮バネ４５の圧縮力に逆らいつつ保持リング４３内へ押し込まれる。さらに、ディスクＤが落し込まれて行くと、ディスクＤのセンタ孔の下面エッジ部がディスク芯合せ部材４４の第１のテーパ面４４ａをのりこえ、代わってディスクＤのセンタ孔の上面エッジ部とディスク芯合せ部材４４の第２のテーパ面４４ｂとが係合するようになる。この結果、ディスクＤはディスク芯合せ部材４４の第２のテーパ面４４ｂに従って下方へ導かれ、ディスクテーブル４２の周縁部に貼り付けられたラバー４６上に載置される。
【０００６】
このようにしてディスク芯合せ部材４４によるディスクＤの位置決め、すなわち当該センタリングクランプ機構とディスクＤとの芯合わせが行われるとともに、ディスク芯合せ部材４４とディスクテーブル４２との間でのディスクＤの保持（クランプ）が達成される。
【０００７】
【発明が解決しようとする課題】
ところで、近年、例えばＤＶＤなどのメディアとして、２枚のディスクを貼り合わせた構造の両面ディスクが市場に出回るようになった。この両面ディスクでは上下各ディスクの貼り合わせずれが規格上０．１ｍｍまで認められている。
【０００８】
このような両面ディスクを上記従来のセンタリングクランプ機構に装着した場合、図６に示したように、ディスクの位置決めが上面側のディスクＤｂのセンタ孔で行われるため、実際の再生面或いは記録面となる下面側のディスクＤａの回転に上下ディスク間の貼り合わせずれを反映した偏心が生じることとなり、良好な再生を維持することができなくなる場合が生じていた。
【０００９】
本発明はこのような課題を解決するためのもので、貼り合わせ構造の両面ディスクとの芯合わせを正しく行うことができ、良好なディスク再生或いは記録動作を維持することのできるディスク装置の提供を目的としている。
【００１０】
【課題を解決するための手段】
上記目的を達成するために、本発明のディスク装置は、請求項１に記載されるように、ディスクを駆動するモータと、モータの駆動軸にラジアル方向へ移動自在に支持されたリング部材と、リング部材にラジアル方向へ移動自在に保持され、ディスクのセンタ孔の一方面側のエッジ部と係合して該ディスクを保持する保持部材と、保持部材を駆動軸から遠ざける方向へ付勢する付勢部材と、駆動軸に支持され、ディスクのセンタ孔の他方面側のエッジ部と係合して該ディスクを位置決めする位置決め部材とを具備することを特徴とする。
【００１１】
また、本発明のディスク装置は、請求項２に記載されるように、ディスクを駆動するモータと、モータの駆動軸にラジアル方向へ移動自在に支持されたリング部材と、リング部材にラジアル方向へ移動自在に保持され、ディスクのセンタ孔の一方面側のエッジ部と係合して該ディスクを保持する保持部材と、保持部材を駆動軸から遠ざける方向へ付勢する第１の付勢部材と、駆動軸にスラスト方向へ移動自在に支持され、ディスクのセンタ孔の他方面側のエッジ部と係合して該ディスクを位置決めする位置決め部材と、位置決め部材をスラスト方向へ付勢する第２の付勢部材とを具備することを特徴とする。
【００１２】
さらに、本発明のディスク装置は、請求項３に記載されるように、ディスクを駆動するモータと、モータの駆動軸に固定されたディスクテーブルと、駆動軸にラジアル方向へ移動自在に支持されたリング部材と、リング部材にラジアル方向に移動自在に設けられ、ディスクテーブル上に載置されたディスクのセンタ孔のテーブル載置面とは反対面側のエッジ部と係合して該ディスクを保持する保持部材と、保持部材を駆動軸から遠ざける方向へ付勢する付勢部材と、駆動軸に支持され、ディスクテーブル上に載置されたディスクのセンタ孔のテーブル載置面側のエッジ部と係合して該ディスクを位置決めする位置決め部材とを具備することを特徴とする。
【００１３】
さらに、本発明のディスク装置は、請求項４に記載されるように、ディスクを駆動するモータと、モータの駆動軸に固定されたディスクテーブルと、駆動軸にラジアル方向へ移動自在に支持されたリング部材と、リング部材にラジアル方向に移動自在に設けられ、ディスクテーブル上に載置されたディスクのセンタ孔のテーブル載置面とは反対面側のエッジ部と係合して該ディスクを保持する保持部材と、保持部材を前記駆動軸から遠ざける方向へ付勢する第１の付勢部材と、駆動軸にスラスト方向へ移動自在に支持され、ディスクテーブル上に載置されたディスクのセンタ孔のテーブル載置面側のエッジ部と係合して該ディスクを位置決めする位置決め部材と、位置決め部材を前記スラスト方向へ付勢する第２の付勢部材とを具備することを特徴とする。
【００１４】
さらに、本発明のディスク装置は、請求項５に記載されるように、ディスクに対する信号のリード又はライトを行うピックアップと、ディスクを駆動するモータと、モータの駆動軸に固定されたディスクテーブルと、駆動軸に支持され、ディスクテーブル上に載置されたディスクのセンタ孔の、光ピックアップと対向する第１の面側のエッジ部と係合して該ディスクを位置決めする位置決め部材と、駆動軸にラジアル方向へ移動自在に支持されたリング部材と、リング部材にラジアル方向に移動自在に設けられ、ディスクテーブル上に載置されたディスクのセンタ孔の、第１の面側とは反対の第２の面側のエッジ部と係合して該ディスクを保持する保持部材と、保持部材を駆動軸から遠ざける方向へ付勢する付勢部材とを具備することを特徴とする。
【００１５】
さらに、本発明のディスク装置は、請求項６に記載されるように、ディスクに対する信号のリード又はライトを行うピックアップと、ディスクを駆動するモータと、モータの駆動軸に固定されたディスクテーブルと、駆動軸に支持され、ディスクテーブル上に載置されたディスクのセンタ孔の、光ピックアップと対向する第１の面側のエッジ部と係合して該ディスクを位置決めする位置決め部材と、駆動軸にラジアル方向へ移動自在に支持されたリング部材と、リング部材にラジアル方向に移動自在に設けられ、ディスクテーブル上に載置されたディスクのセンタ孔の、第１の面側とは反対の第２の面側のエッジ部と係合して該ディスクを保持する保持部材と、保持部材を駆動軸から遠ざける方向へ付勢する第１の付勢部材と、位置決め部材をスラスト方向へ付勢する第２の付勢部材とを具備することを特徴とする。
【００１６】
本発明のディスク装置において、ディスクの芯合わせ（位置決め）は、位置決め部材により、ディスクのセンタ孔の再生又は記録が行われる面側のエッジ部で行われる。リング部材に保持された保持部材は、位置決めされたディスクをディスクテーブルとの間で保持するための部材として機能する。
【００１７】
２枚のディスクを貼り合せた構造の両面ディスクを装着した場合、該両面ディスクの上下ディスク間の貼り合せのずれは、モータの駆動軸とリング部材との間に確保されたラジアル方向の隙間で吸収される。このため、リング部材に保持された各保持部材とディスクとの各々の係合状態（ディスク保持形態）がばらつくことがなく、ディスクを良好に保持することが可能となる。一方、位置決め部材によるディスクの位置決めは、ディスクのセンタ孔の再生又は記録を行う面側のエッジ部で行われるので、上下ディスク間の貼り合せにずれがある場合でも正しくディスクの位置決めを行うことができ、安定したディスク再生動作を維持できるようになる。
【００１８】
また、保持部材および位置決め部材の各々のディスク係合部は、モータの駆動軸を中心にほぼ均等な角度間隔で互い違いに計６つ以上配置することが、ディスクの保持および位置決めを安定して行うために望ましい。
【００１９】
また、リング部材はモータの駆動軸に対してラジアル方向に移動自在に支持されていることから、モータ軸からのリング状部材の抜けを防止するための止め具を付加することが好ましい。
【００２０】
さらに、本発明において、ディスクを保持しているとき、第２の付勢手段の付勢力が、第１の付勢手段が保持部材を通じてディスクをモータ駆動軸のスラスト方向に押圧する力より小さいことが要求される。第２の付勢手段によって位置決め部材を保持部材に向けてスラスト方向に付勢する力が、第１の付勢手段が保持部材を通じてディスクを位置決め部材に向けてスラスト方向に押圧する力より大きいと、ディスクのスリップや脱落が生じやすくなる等、所望のディスク保持力が得られなくなる。
【００２１】
【発明の実施の形態】
以下、本発明を実施する場合の形態について図面に基づき説明する。
【００２２】
本実施形態は、例えば２枚のＤＶＤディスクを貼り合わせた構造の両面ディスクを再生するＤＶＤドライブに本発明を適用したものである。
【００２３】
図１はかかるＤＶＤドライブの全体的な構成を示す斜視図である。
【００２４】
このＤＶＤドライブは、ディスクを駆動・再生する各機構系が搭載された可動体１（以下、ドロワーと呼ぶ。）と、このドロワー１を収容可能なキャビネット２とから構成される。ドロワー１の両側に設けられたガイド突起１ａはキャビネット２のガイド支持部２ａにスライド式のドロワー受け部材３を介して連結されている。これによりドロワー１は、これに搭載されたディスクの面と平行に、キャビネット２の内外を搬送される。ドロワー１のキャビネット２内への挿入は手動により行われる。また、ドロワー１の排出は、ドロワー１の正面パネル１ｂに設けられたスイッチ１ｃが押されたことをマイクロコンピュータが検知し、イジェクト用のモータ１２にドライブ信号を出力するよう制御することによって自動で行われる。
【００２５】
ドロワー１には、図示しない光ディスクの外形に適合した凹部４が形成されている。この凹部４の中央部にはターンテーブル６が配置されている。このターンテーブル６上には、光ディスクのセンタ孔と結合して、この光ディスクをターンテーブル６上の中央に位置決めしかつ保持するための機構（以下、これをディスクのセンタリングクランプ機構と呼ぶ。）５が設けられている。このセンタリングクランプ機構５については後で詳細に説明する。ターンテーブル６はドロワー１内に搭載された図示しないディスクモータの駆動軸に直結されている。
【００２６】
ドロワー１内には、上記ディスクモータおよびターンテーブル６を含むディスク駆動機構のほかに、光ピックアップ７と、この光ピックアップ７を搬送するためのピックアップ送り機構、更にはドロワー１をキャビネット２内から自動排出するためのイジェクト用のモータ１２を含むドロワーイジェクト機構などが搭載されている。さらにドロワー１の凹部４には、光ピックアップ７の少なくともピックアップレンズ７ａの部分を露出するための開口８が形成されている。
【００２７】
一方、キャビネット２内には、マイクロコンピュータ、メモリ、各種モータのドライブ回路などの半導体装置やコネクタなどの各種電子部品を実装した回路基板９が固定されている。そして、このキャビネット２内の回路基板９はドロワー１内の各機構部とフレキシブル配線板１０を通じて電気的に接続されている。
【００２８】
次に、上述したディスクのセンタリングクランプ機構５の詳細について説明する。図２乃至図４はこのセンタリングクランプ機構５の構成をその動きとともに示した断面図である。
【００２９】
これらの図に示すように、このセンタリングクランプ機構５は、保持リング２１、ピン形態のディスク保持部材２２、ディスク保持部材用の圧縮バネ２３、センタリング部材２４、センタリング部材用の圧縮バネ２５、ディスクテーブル２６、ラバー２７および保持リング用の止め金具２８から構成される。ディスクテーブル２６およびラバー２７は前述のターンテーブル６に相当する。
【００３０】
ディスクテーブル２６はモータ軸２９に圧入されてモータ軸２９と一体で回転する。このディスクテーブル２６より上方に突出した部分のモータ軸２９には、保持リング２１とセンタリング部材２４が各々の中心孔２１ａ、２４ａを通じて嵌め込まれている。保持リング２１の中心孔２１ａとモータ軸２９との間には、保持リング２１がモータ軸２９のラジアル方向に例えば０．１ｍｍ以内の範囲で移動し得るように所定の隙間（ガタ）Ｇａが確保されている。そしてこの保持リング２１はモータ軸２９の頭部に止め金具２８により上方へ抜けないよう係止されている。
【００３１】
また、保持リング２１にはディスク保持部材２２と圧縮バネ２３が複数組（本実施形態では３組）保持されている。保持リング２１内においてディスク保持部材２２は、モータ軸２９のラジアル方向に進退自在とされ、その一端部は保持リング２１の外周面よりラジアル方向に突出している。このディスク保持部材２２の突出部は、ディスクＤが装着される過程でディスクＤのセンタ孔Ｄ１の下面エッジ部と係合される第１のテーパ面２２ａと（図３のＢ部参照）、ディスクテーブル２６上に載置されたディスクＤのセンタ孔Ｄ１の上面エッジ部と係合してディスクＤを保持するように機能する第２のテーパ面２２ｂ（図４のＤ部参照）を有している。圧縮バネ２３はディスク保持部材２２をモータ軸２９から遠さげる方向に付勢するための手段である。
【００３２】
センタリング部材２４は、モータ軸２９にスラスト方向のみに移動自在に支持されている。このセンタリング部材２４とその下方に配置されたディスクテーブル２６との間には圧縮バネ２５が挟み込まれている。センタリング部材２４はこの圧縮バネ２５によって上方つまりディスクテーブル２６から遠ざかる方向へ付勢されており、保持リング２１によって上方への抜けが抑止されている。このセンタリング部材２４には、ディスクＤのセンタ孔Ｄ１の下面エッジ部と係合して該ディスクＤの芯合わせ（位置決め）を行うように機能するテーパ面２４ａ（図４のＣ部参照）が形成されている。
【００３３】
図５は、センタリングクランプ機構５におけるディスク保持部材２２およびセンタリング部材２４の平面上の配置構成を示す。同図に示すように、ディスク保持部材２２とセンタリング部材２４の各々のディスク係合部は、ディスクの保持および位置決めを安定して行えるよう、保持リング２１の周囲３か所（合計６か所）に互い違いに均等な角度間隔で配置されている。
【００３４】
次に、このように構成されたセンタリングクランプ機構５の作用について説明する。
【００３５】
図２はディスクＤを装着する前のセンタリングクランプ機構５の状態を示している。このときセンタリング部材２４は、Ａの部分で保持リング２１と上下端面どうしが当接することにより決定される高さ位置にある。
【００３６】
図３はディスクＤを装着する過程におけるセンタリングクランプ機構５の状態を示している。このとき、Ｂの部分に示すように、ディスクＤのセンタ孔Ｄ１の下面エッジ部でディスク保持部材２２の第１のテーパ面２２ａが押圧されることで、ディスク保持部材２２は圧縮バネ２３の圧縮力に逆らいつつ保持リング２１内へ押し込まれる。さらにディスクＤが下へ落し込まれて行くと、ディスクＤのセンタ孔Ｄ１の下面エッジ部がディスク保持部材２２の第１のテーパ面２２ａをのりこえ、代わってディスクＤのセンタ孔Ｄ１の上面エッジ部とディスク保持部材２２の第２のテーパ面２２ｂとが係合するようになる。この結果、ディスクＤはディスク保持部材２２の第２のテーパ面２２ｂに従って下方へ導かれる。
【００３７】
図４はディスクＤの装着が完了した状態を示している。この時点では、ディスクＤがディスクテーブル２６の周縁部に貼り付けられたラバー２７上に載るとともに、Ｃの部分に示すように、ディスクＤのセンタ孔Ｄ１の下面エッジ部がセンタリング部材２４のテーパ面部材２４ａと係合されることによってディスクの位置決め（芯合わせ）が達成される。
【００３８】
ところで、前述したように、２枚のディスクを貼り合わせた構造の両面ディスクは上下ディスク間で０．１ｍｍまでの貼り合わせずれが規格上許されている。そこで、このような貼り合わせずれを有する両面ディスクを本実施形態のセンタリングクランプ機構５に装着した場合を考える。
【００３９】
本実施形態では、第１に、ディスクＤのセンタ孔Ｄ１の下面エッジ部、つまり再生するディスク面側のディスクＤａのセンタ孔で位置決めを行うので、貼り合わせずれのある両面ディスクについても、正しくディスクの芯合わせを行うことができる。一方、上面側のディスクＤｂの中心とセンタリングクランプ機構５の中心とは上下ディスク間の貼り合わせずれの分だけずれるが、保持リング２１はモータ軸２９との間に、両面ディスクにおいて規格上許容されている貼り合わせずれの寸法（０．１ｍｍ）分のラジアル方向の隙間Ｇａを有していることから、この隙間Ｇａによって上記のずれは吸収されることになる。このため、各ディスク保持部材２２とディスクＤとの各々の係合状態にバラツキが生じることがなく、ディスクＤの良好な保持状態が維持される。
【００４０】
このように、本実施形態によれば、センタリング部材２４によって再生ディスク面のセンタ孔に対してディスクの位置決めが行われるとともに、位置決めされたディスクは保持リング２１のディスク保持部材２２によって上下ディスク間の貼り合わせずれを吸収しつつ上から保持されるので、上下ディスク間の貼り合せにずれがある場合でも正しくディスクの位置決めを行うことができ、安定したディスク再生動作を維持できるようになる。
【００４１】
なお、本実施形態のセンタリングクランプ機構において、ディスククランプ状態にあるとき、センタリング部材２４がディスクをモータ軸２９のスラスト方向に押圧する力が、各ディスク保持部材２２がそのテーパ面２２ｂを通じてディスクをスラスト方向に押圧する力よりも小さいことが要求される。したがって、このような条件を満足するように、センタリング部材２４を押圧する圧縮バネ２５、ディスク保持部材２２を押圧する圧縮バネ２３として各々最適なバネ力を持ったものを選択する必要がある。
【００４２】
以上、ＤＶＤドライブに本発明を適用した実施形態について説明したが、本発明は、光ディスクを駆動する機構を含む装置であればどのような方式（例えばＣＤ−ＲＯＭドライブなど）のものにも適用でき、また、光ディスクを再生する装置だけではなく、光ディスクにデータを記録することの可能なディスク装置（例えばＭＯドライブ、ＣＤ−Ｒドライブ、ＣＤ−ＲＷドライブなど）にも適用可能である。
【００４３】
【発明の効果】
以上説明したように本発明のディスク装置によれば、２枚のディスクを貼り合わせた構造の両面ディスクのセンタ孔の再生又は記録を行う面側のエッジ部でディスクの位置決めを行うことが可能となり、貼り合わせずれのある両面ディスクの位置決めを正しく行うことができるので、良好なディスク再生或いは記録動作を維持することができる。
【図面の簡単な説明】
【図１】  本発明を適用した一実施形態であるＤＶＤドライブの全体的な構成を示す斜視図
【図２】  図１のＤＶＤドライブのセンタリングクランプ機構のディスク装着前の状態を示す断面図
【図３】  図２のセンタリングクランプ機構のディスク装着過程での状態を示す断面図
【図４】  図２のセンタリングクランプ機構のディスク装着完了後の状態を示す断面図
【図５】  図２のセンタリングクランプ機構の平面図
【図６】  従来のディスク装置のセンタリングクランプ機構の構成を示す断面図
【符号の説明】
Ｄ……ディスク（両面ディスク）
Ｄ１……ディスクのセンタ孔
Ｄａ……下面側のディスク
Ｄｂ……上面側のディスク
Ｇａ……モータ軸と保持リングとの隙間
５……センタリングクランプ機構
２１……保持リング
２２……ディスク保持部材
２３……ディスク保持部材用の圧縮バネ
２４……センタリング部材
２５……センタリング部材用の圧縮バネ
２６……ディスクテーブル
２７……ラバー
２８……止め金具
２９……モータ軸
【図１】
0003734347.tif 000002
【図２】
0003734347.tif 000003
【図３】
0003734347.tif 000004
【図４】
0003734347.tif 000005
【図５】
0003734347.tif 000006
【図６】
0003734347.tif 000007